(57)【要約】      （修正有）【課題】夜間時に自転車の存在を示す方法として、小型軽量で長期に使用できる安全な光照射装置を提供する。【解決手段】既存の自転車用交流発電機を電源としたＬＥＤ一本を使用した光照射装置７において、この光照射装置７を装着し、リム１８に貼り付けた蓄光テープ又は蓄光シールあるいは塗布した蓄光塗料やタイヤ１７に塗布した蓄光塗料に対して光を照射し、タイヤ１７の回転とともにタイヤ形状に光らせる。小型軽量で前方の反射板（ホーク取付型）や後方反射板（シートステイ取付型）との一体化が可能で、発電機を有する全ての自転車に装着可能となる。【選択図】図７
0003185528.tif 000002
【実用新案登録請求の範囲】
【請求項１】
自転車用発電機の交流電源と、該交流電源に接続して発光する発光部と、該発光部から光を照射する蓄光部と、を備えた光照射装置であって、
前記発光部は、ＬＥＤと、該ＬＥＤに直列接続して電流を制限する抵抗と、からなるＬＥＤユニットを有し、自転車の、前輪ホーク部、後輪シートステイ部、及び泥除け部のうちのいずれか１箇所以上に備えられ、
前記蓄光部は、蓄光テープ、蓄光シール又は塗料塗布部材からなり、前記自転車のリム又はタイヤに備えられることを特徴とする光照射装置。
【請求項２】
前記ＬＥＤは、紫外線ＬＥＤ、白色ＬＥＤ、高輝度ＬＥＤ、超高輝度ＬＥＤのうちのいずれかである請求項１に記載の光照射装置。
【請求項３】
前記ＬＥＤユニットが複数並列接続されている請求項１又は２に記載の光照射装置。
【請求項４】
前記交流電源を整流回路で直流電源に変換して供給する請求項１及至３のうちのいずれか１項に記載の光照射装置。
【考案の詳細な説明】
【技術分野】
【０００１】  本考案は、自転車の交流発電機を使用してタイヤやリムを照射するための光照射装置に関するものである。
【背景技術】
【０００２】  タイヤやリムに蛍光塗料を塗布または蓄光テープを貼り、光を照射すれば車輪の形状に光るため、安全に寄与できることは知られているが、自転車の交流発電機を使用し、微小電力で実現したものはない。レーザーの強い光を使用することも可能であるが、子供が使用する場合や修理・点検時に誤ってレーザーの光源を直視してしまうという危険がある。形状の大きな光源を取り付けることは、自転車の安全走行上に問題が生じる。また、電池を使用するものは定期的な交換が必要で現在は安全対策に全く役立っていない。
【考案の概要】
【考案が解決しようとする課題】
【０００３】  夜間において自転車は、ヘッドライト以外は反射板しかないため、自動車または自動二輪者あるいは他の自転車の運転者や歩行者に対して直角方向から走行する自転車の認識が難しい。このための事故も多く発生している。現在横方向に別電源と別光源を設けて、蛍光体によりタイヤを光らせる実験は行われている。また、スポークに取り付けたＬＥＤを電池を使って点灯させるものがある。これらは取り付けが煩雑でしかもボタン電池などの別電源が必要であり、広く利用されるに至っていない。このため既存の自転車用発電機の電力を活用し、新たな電源を使用しないで簡易に増設可能なリム又はタイヤの発光を助けるための光照射装置等が必要である。
【課題を解決するための手段】
【０００４】  自転車の交流発電機に接続して使用できるように、紫外線ＬＥＤ１本又は白色等のＬＥＤあるいは高輝度や超高輝度ＬＥＤ一本を抵抗と直列に接続したもの、又はさらに整流回路を接続したものを小型ケースに収め、光照射装置とする。光照射装置はリム又はタイヤの一部分に光が照射される位置に取り付ける。リムには蓄光テープ又は蓄光シールを断続あるいは連続に貼りつけるかリムやタイヤに蓄光塗料を塗布しておくことにより、タイヤの回転とともにタイヤ形状にリム又はタイヤが光を放つ。
すなわち、本考案は以下の通りである。
１．自転車用発電機の交流電源と、該交流電源に接続して発光する発光部と、該発光部から光を照射する蓄光部と、を備えた光照射装置であって、
前記発光部は、ＬＥＤと、該ＬＥＤに直列接続して電流を制限する抵抗と、からなるＬＥＤユニットを有し、自転車の、前輪ホーク部、後輪シートステイ部、及び泥除け部のうちのいずれか１箇所以上に備えられ、
前記蓄光部は、蓄光テープ、蓄光シール又は塗料塗布部材からなり、前記自転車のリム又はタイヤに備えられることを特徴とする光照射装置。
２．前記ＬＥＤは、紫外線ＬＥＤ、白色ＬＥＤ、高輝度ＬＥＤ、超高輝度ＬＥＤのうちのいずれかである１．に記載の光照射装置。
３．前記ＬＥＤユニットが複数並列接続されている１．又は２．に記載の光照射装置。
４．前記交流電源を整流回路で直流電源に変換して供給する１．及至３．のうちのいずれか１項に記載の光照射装置。
【考案の効果】
【０００５】  本考案は、自転車進行方向に対し、直角方向からリムやタイヤの形状に光を視認することができ、危険防止に役立つ。また、電池等の外部電源を使用せずに長期にわたって安定的に光を照射することが可能で安全性を確保することができる。
【図面の簡単な説明】
【０００６】
【図１】簡易な部品で構成する発光部の部品接続を示す
【図２】標準的な部品で構成する発光部の部品接続を示す
【図３】光照射装置の外観を示す
【図４】前輪ホーク部または後輪シートステイ部への取り付け装置を示す
【図５】前輪または後輪の泥除け部への取り付け装置を示す
【図６】取り付け可能な位置を示す
【図７】ホーク部及びシートステー部の取り付け状態を示す
【図８】泥除け部への取り付け状態を示す
【図９】蓄光テープ又は蓄光シールの取り付けを示す
【図１０】自転車発電機とライト及び光照射装置との電気配線を示す
【考案を実施するための形態】
【０００７】  以下、本考案を実施形態に従って説明する。
図１のように紫外線ＬＥＤ又は白色等ＬＥＤあるいは高輝度や超高輝度ＬＥＤ１と固定抵抗２の回路を自転車発電機２２のような交流電源に接続すると、半波のみ（交流の半分の期間）の光照射が可能となる。また、図２のように図１の回路にショットキーダイオードブリッジ５を接続すれば全波（交流の全部の期間）で光を放射が可能な回路ができる。図１又は図２の回路を図３のようにケースに収め、ケース中央から紫外線ＬＥＤ又は白色等ＬＥＤあるいは高輝度や超高輝度ＬＥＤの一部が出るように固定したものが光照射装置となる。
【０００８】  図４のようにプラスチック取付器具８と光照射装置７を一体化すれば取付用ねじ９一本で前輪ホーク部１２や後輪シートステイ部１３に取り付け可能な装置が完成する。
【０００９】  また、図５のような泥除け用取付器具と光照射装置７の２個を一体化すれば泥除け固定用穴１１に固定用ねじ２本で前輪または後輪に取り付け可能な装置が完成する。
【００１０】  図４の装置は図６の自転車のホーク部１２またはシートステイ部１３の左右、または両方に装着が可能で図７のような装着状態となる。
【００１１】  図５の装置は図６の自転車の前輪泥除け部１４又は後輪泥除け部１５、または両方に装着が可能で図８のような装着状態となる。
【００１２】  図９に示すように蓄光テープ又は蓄光シールあるいは蓄光塗料２０をリム１８に連続的又は断続的に貼る又は塗布する。
【００１３】                                                                          （３）
図１０に自転車発電機２１と光照射装置７との電気的接続を示す。自転車発電機２１は交流でしかも接地側４はフレームグランドになっているため、光照射装置７から出ている電線のいずれか一方を自転車発電機２１から出ている電源＋３に接続し、もう一方は電源−（フレームグランド）となる自転車の金属部分に接続する。
【００１４】  図１０の接続により走行すれば光照射装置７は常時点灯し、夕方から夜にかけては自転車の進行方向に対して直角な方向から見る場合はタイヤの形状にリム１８が光を放つ。また、光照射装置７自体も光るため、自転車の進行に対して前方や後方からも自転車を確認が容易となる。消費電力は表１のように１箇所において３６ｍＷ、前輪と後輪の全４箇所において０．１４４Ｗとなり、自転車発電機の発電能力２．４Ｗと比較しても６％と極小電力となりヘッドライトの照射を殆ど減少させない。
【００１５】
【表１】
0003185528.tif 000003
【００１６】  図１０において光照射装置７をスイッチにより点灯や消灯させたい場合はスイッチ挿入点２３にスイッチを入れることで可能となる。自転車用ライト２２が夜間時の自動点灯の場合はその出力から電源をとることにより、夜間時の自動点灯とさせることも可能である。
【００１７】  本考案は、自転車の交流発電機を使用してタイヤやリムを照射するための光照射装置に関するものである。簡単で軽量で安価に生産が期待されるため、全ての発電機付自転車に対して装備が可能である。また、反射板と取付けを共用にすることも可能となる。
【符号の説明】
【００１８】１  紫外線ＬＥＤ又は白色等ＬＥＤあるいは高輝度や超高輝度ＬＥＤ、２  固定抵抗、３  電源＋、４  電源−（フレームグランド）、５  ショットキーダイオードブリッジ、６  ケース、７  光照射装置、８  プラスチック取付具、９  固定用ねじ、１０  泥除け用取付器具、１１  泥除け固定用の穴、１２  ホーク部、１３  シートステー部、１４  前輪泥除け部、１５  後輪泥除け部、１６  泥除け、１７  タイヤ、１８  リム、１９  ホークまたはシートステー、２０  蓄光テープ又は蓄光シールあるいは蓄光塗料、２１  自転車用発電機、２２  自転車用ライト、２３  スイッチ挿入点
【図１】
0003185528.tif 000004
【図２】
0003185528.tif 000005
【図３】
0003185528.tif 000006
【図４】
0003185528.tif 000007
【図５】
0003185528.tif 000008
【図６】
0003185528.tif 000009
【図７】
0003185528.tif 000010
【図８】
0003185528.tif 000011
【図９】
0003185528.tif 000012
【図１０】
0003185528.tif 000013